(57)【要約】【課題】崩壊性中子に塗型剤を十分に塗布可能な塗型方法及び塗型用治具を提供することをその課題とする。【解決手段】鋳造時に金型に設置される崩壊性中子２に塗型剤を塗布するための塗型用治具１であって、塗型用治具１は該崩壊製中子２を保持する保持部１ａを有している。崩壊性中子２の金型への設置部２ａを保持部１ａに保持させて崩壊性中子２に塗型剤を塗布する。こうすることで、崩壊性中子２の設置部２ａ以外の全面に塗型剤が塗布されることとなる。【選択図】  図２
2018099720.tif 000002
【特許請求の範囲】
【請求項１】
鋳造時に金型に設置される崩壊性中子に塗型剤を塗布する塗型方法であって、塗型用治具に該崩壊性中子の該金型への設置部を保持させて該崩壊性中子に塗型剤を塗布することを特徴とする崩壊性中子の塗型方法。
【請求項２】
鋳造時に金型に設置される崩壊性中子に塗型剤を塗布するための塗型用治具であって、該塗型用治具は該崩壊製中子を保持する保持部を有し、該崩壊性中子の該金型への設置部を該保持部に保持させて該崩壊性中子に塗型剤を塗布することを特徴とする崩壊性中子の塗型用治具。
【請求項３】
該保持部は複数形成されており、かつ該保持部は該崩壊性中子を弾性変形により保持可能であることを特徴とする請求項２記載の崩壊性中子の塗型用治具。
【請求項４】
該塗型用治具は該崩壊性中子を保持した状態で該塗型用治具ごと塗型剤を塗布可能であることを特徴とする請求項２又は３記載の崩壊性中子の塗型用治具。
【請求項５】
該塗型用治具の塗型剤付着面は他の面よりも面粗度が滑らかであることを特徴とする請求項４記載の崩壊性中子の塗型用治具。
【発明の詳細な説明】
【技術分野】
【０００１】
本発明はダイカスト鋳造などに用いられる崩壊性中子の塗型剤塗布に関し、より具体的には、砂等で造形された崩壊性中子本体の外表面に塗型剤を塗布する塗型方法及び塗型用治具に関するものである。
【背景技術】
【０００２】
崩壊性中子を搬送コンベアの吊り下げフックに吊るして塗型剤塗布及び乾燥を行う技術が特許文献１に示すように知られている。
【０００３】
こうした従来の技術では、崩壊性中子を吊り下げフックに吊るして塗型剤塗布を行うようになっているので、崩壊性中子と吊り下げフックとの接触面に塗型剤が十分に塗布されない可能性があった。崩壊性中子に塗型剤が十分に塗布されない場合、鋳造途中に崩壊性中子が崩壊してしまう可能性があり、改善の余地があった。
【先行技術文献】
【特許文献】
【０００４】
【特許文献１】実開平６−１９９５４号公報
【発明の概要】
【発明が解決しようとする課題】
【０００５】
本発明はこのような問題を解決するためになされたもので、崩壊性中子に塗型剤を十分に塗布可能な塗型方法及び塗型用治具を提供することを目的とする。
【課題を解決するための手段】
【０００６】
本発明は上記目的を達成するため、鋳造時に金型に設置される崩壊性中子に塗型剤を塗布する塗型方法であって、塗型用治具に該崩壊性中子の該金型への設置部を保持させて該崩壊性中子に塗型剤を塗布することを特徴としている。
【０００７】
また、鋳造時に金型に設置される崩壊性中子に塗型剤を塗布するための塗型用治具であって、該塗型用治具は該崩壊製中子を保持する保持部を有し、該崩壊性中子の該金型への設置部を該保持部に保持させて該崩壊性中子に塗型剤を塗布することを特徴としている。
【０００８】
また、該保持部は複数形成されており、かつ該保持部は該崩壊性中子を弾性変形により保持可能であることを特徴としている。
【０００９】
また、該塗型用治具は該崩壊性中子を保持した状態で該塗型用治具ごと塗型剤を塗布可能であることを特徴としている。
【００１０】
また、該塗型用治具の塗型剤付着面は他の面よりも面粗度が滑らかであることを特徴としている。
【発明の効果】
【００１１】
本発明によれば、崩壊性中子に十分に塗型剤を塗布することが可能となり、安定した鋳造品を得ることができる。
【図面の簡単な説明】
【００１２】
【図１】本発明に係る塗型用治具を示し、（ａ）は側面図、（ｂ）は平面図である。
【図２】本発明に係る塗型用治具に崩壊性中子を保持させた状態を示し、（ａ）は側面図、（ｂ）は平面図、（ｃ）は（ａ）のＡ−Ａ断面図である。
【図３】本発明に係る塗型用治具に崩壊性中子を保持させた状態を示す写真である。
【発明を実施するための形態】
【００１３】
以下、本発明の実施形態にかかる塗型方法及び塗型用治具について図１〜図３を参酌しつつ説明する。
【００１４】
図１は本発明に係る塗型用治具の一例を示し、図２は塗型用治具に崩壊性中子を保持させた状態を示した図面である。また、図３は塗型用治具に崩壊性中子を保持させた状態を示す写真である。図１〜３に示すとおり、塗型用治具１は略直方体形状をした発泡シリコンゴム製の治具で、耐熱性に優れている。また、塗型用治具１は多孔性であり弾性変形可能である。なお、塗型用治具１の材質としては耐熱性を備えていればよく、非発泡性のシリコンゴム等でもよい。
【００１５】
塗型用治具１には図２に示す崩壊性中子２を保持可能な保持部１ａが複数（本実施例では４つ）設けられている。塗型用治具１は弾性変形可能なので、保持部１ａは崩壊性中子２を弾性保持することとなる。また、塗型用治具１の天面Ｓは他の五面（底面と４つの側面）よりも面粗度が滑らかになっている。面粗度を滑らかにする手段としては、エポキシ系等の接着剤を天面Ｓに塗布することによって実現できる。なお、後述する塗型剤の剥離を考慮して、底面以外の５面の面粗度を滑らかにしてもよい。
【００１６】
崩壊性中子２は図２、３に示すとおり、湾曲した長方形状の薄板部材であり、図２（ｃ）における下端部付近（図２（ｃ）の斜線部）が鋳造時に金型に設置される設置部２ａとなっている。すなわち、設置部２ａは金型に当接保持される部分である。この設置部２ａのみが塗型用治具１の保持部１ａに保持されることとなる。また崩壊性中子２はその下方に開口部２ｂが設けられている。塗型用治具１の保持部１ａが崩壊性中子２を保持した時に開口部２ｂの下端は天面Ｓよりも図２（ｃ）において上方に位置している。よって開口部２ｂも塗型用治具１に遮られることなく、塗型剤が十分に塗布される。
【００１７】
本発明における崩壊性中子２の塗型方法について説明する。まず崩壊性中子２の設置部２ａを塗型用治具１の保持部１ａに弾性保持させる。具体的には、保持部１ａ付近を弾性変形させながら４つの崩壊性中子２を保持部１ａにはめ込む。次に塗型用治具１の４側面及び底面を把持し、天面Ｓを下に向けた状態で塗型用治具１ごと崩壊性中子２を塗型剤が貯留された容器に漬ける。こうすることで、崩壊性中子２の設置部２ａ以外の全面及び天面Ｓに塗型剤が塗布されることとなる。そして、図示しない乾燥装置のコンベアベルト上に塗型用治具１を載せ、塗型剤を乾燥硬化させる。乾燥後、崩壊性中子２を保持部１ａから抜き取ることにより崩壊性中子２の塗型が完了する。なお、塗型用治具１の天面Ｓにも塗型剤が塗布されるが、前述の通り天面Ｓは面粗度が滑らかなので、塗型剤は剥離し易く、繰り返し利用可能である。このようにすることによって、崩壊性中子２の設置部２ａ以外の場所に確実に塗型剤を塗布することができ、かつ設置部２ａには塗型剤が塗布されないので、塗型剤の塗布量によるバラつきが生じず、金型への設置がスムーズである。
【００１８】
なお、本発明は、前記実施形態に限定されるものではなく、本発明の要旨を逸脱しない範囲で種々の変更が可能である。例えば前述の実施形態では、塗型用治具１は崩壊性中子２を４つ保持可能であったが、１つでもよく、また、もっと多くの崩壊性中子２を保持可能とさせてもよい。また、塗型剤を塗布する際、手作業で塗布をしていたが、自動塗布装置によって塗型用治具１の全面に塗型剤を塗布するようにしてもよい。この場合、塗型用治具１の全面の面粗度を滑らかにすることが好ましい。
【産業上の利用可能性】
【００１９】
本発明に係る塗型方法及び塗型用治具は、崩壊性中子に塗型剤を塗布する技術において極めて有用である。
【符号の説明】
【００２０】
１            ：塗型用治具
１ａ          ：保持部
２            ：崩壊性中子
２ａ          ：設置部
２ｂ          ：開口部
Ｓ            ：天面
【図１】
2018099720.tif 000003
【図２】
2018099720.tif 000004
【図３】
2018099720.tif 000005